(57)【要約】ＯＦＤＭＡゲートウェイコンポーネントは、ＯＦＤＭＡネットワークとＣＤＭＡネットワークとの間のインタフェースとしてサービス提供することができ、モバイルデバイスをターゲットとしているＣＤＭＡメッセージを検出し（６１０）、それに応じて、ＣＤＭＡメッセージに関する情報を含んでいるＯＦＤＭＡメッセージを生成する（６２０，７２０）。第２の態様は、モバイルデバイスにサービス提供しているＯＦＤＭＡ基地局で、モバイルデバイスをターゲットとしているＣＤＭＡネットワークを介して送信されたＣＤＭＡメッセージに関する情報を含んでいるＯＦＤＭＡメッセージを受信することと（６２０，７２０）、それに応じて、基地局からモバイルデバイスまでＣＤＭＡメッセージに関する情報を含んでいるＯＦＤＭＡメッセージを送信することと（６３０，７３０）、を備える方法である。第３の態様は、モバイルデバイスからＣＤＭＡネットワークをターゲットとしているＣＤＭＡメッセージに関する情報を含んでいるＯＦＤＭＡメッセージを生成することと、モバイルデバイスにサービス提供しているＯＦＤＭＡ基地局に対してＣＤＭＡメッセージに関する情報を含んでいるＯＦＤＭＡメッセージを送信することと（６４０，７４０，８１０）、を備える方法である。
2011523812.tif 000002
【特許請求の範囲】
【請求項１】
符号分割多元接続（ＣＤＭＡ）通信及び直交周波数分割多元接続（ＯＦＤＭＡ）通信をサポートするマルチモードモバイルデバイスと通信するための方法であって、
前記モバイルデバイスをターゲットとするＣＤＭＡメッセージについてＣＤＭＡネットワークをモニタすることと、
前記モバイルデバイスをターゲットとする前記ＣＤＭＡメッセージを検出することに応じて、ＯＦＤＭＡメッセージで前記ＣＤＭＡメッセージを前記モバイルデバイスに通知することと、
を備えている方法。
【請求項２】
前記モバイルデバイスをターゲットとする前記ＣＤＭＡメッセージは、ＣＤＭＡページングリクエストを備えている、請求項１に記載の方法。
【請求項３】
ＯＦＤＭＡメッセージで前記ＣＤＭＡメッセージを前記モバイルデバイスに通知することは、前記モバイルデバイスにサービス提供するＯＦＤＭＡ基地局に対してＯＦＤＭＡページリクエストを送信することを備えている、請求項２に記載の方法。
【請求項４】
ＯＦＤＭＡメッセージで前記ＣＤＭＡメッセージを前記モバイルデバイスに通知することは、前記モバイルデバイスにサービス提供するＯＦＤＭＡ基地局に対してＯＦＤＭＡデレジスタリクエストを送信することを備えている、請求項２に記載の方法。
【請求項５】
前記モバイルデバイスは、アメリカ電気電子通信学会（ＩＥＥＥ）８０２．１６ファミリの標準規格のうちの１つまたは複数に従ったＯＦＤＭＡ通信をサポートし、
ＯＦＤＭＡメッセージで前記ＣＤＭＡメッセージを前記モバイルデバイスに通知することは、前記ＩＥＥＥ８０２．１６ファミリの標準規格のうちの１つまたは複数に従ったＯＦＤＭＡメッセージでＣＤＭＡメッセージを前記モバイルデバイスに通知することを備える、請求項１に記載の方法。
【請求項６】
符号分割多元接続（ＣＤＭＡ）通信と直交周波数分割多元接続（ＯＦＤＭＡ）通信をサポートするマルチモードモバイルデバイスと通信するための方法であって、
前記モバイルデバイスにサービス提供するＯＦＤＭＡ基地局において、前記モバイルデバイスをターゲットとするＣＤＭＡネットワークを介して送信されるＣＤＭＡメッセージに関する情報を含んでいるＯＦＤＭＡメッセージを受信することと、
それに応じて、前記基地局から前記モバイルデバイスへと前記ＣＤＭＡメッセージに関する情報を含んでいるＯＦＤＭＡメッセージを送信することと、
を備えている方法。
【請求項７】
前記モバイルデバイスをターゲットとする前記ＣＤＭＡメッセージは、ＣＤＭＡページングリクエストを備えている、請求項６に記載の方法。
【請求項８】
ＯＦＤＭＡメッセージで前記ＣＤＭＡメッセージを前記モバイルデバイスに通知することは、前記モバイルデバイスに対し、モバイルページング広告（ＭＯＢ＿ＰＡＧ＿ＡＤＶ）メッセージを送信することを備え、
前記方法は、前記モバイルデバイスから、前記ＣＤＭＡページングリクエストに対する応答に関する情報を含んでいるＯＦＤＭＡレンジングリクエストメッセージを受信することと、前記ＣＤＭＡネットワークに接続されたゲートウェイデバイスに対し、前記ＣＤＭＡページングリクエストに対する応答で、ＯＦＤＭＡメッセージを送信することと、をさらに備える、請求項７記載の方法。
【請求項９】
ＯＦＤＭＡメッセージで前記ＣＤＭＡメッセージを前記モバイルデバイスに通知することは、前記モバイルデバイスに対する前記ＣＤＭＡページングリクエストについての情報を含んでいるＯＦＤＭＡデレジスタコマンドメッセージを送信することを備えている、請求項７に記載の方法。
【請求項１０】
前記モバイルデバイスと基地局は、アメリカ電気電子通信学会（ＩＥＥＥ）８０２．１６ファミリの標準規格のうちの１つまたは複数に従ってＯＦＤＭＡフレームを介して通信し、
前記基地局から前記モバイルデバイスまで前記ＣＤＭＡメッセージに関する情報を含んでいるＯＦＤＭＡメッセージを送信することは、前記ＩＥＥＥ８０２．１６ファミリの標準規格のうちの１つまたは複数に従ったＯＦＤＭＡを送信することを備える、請求項６に記載の方法。
【請求項１１】
直交周波数分割多元接続（ＯＦＤＭＡ）ネットワークを介してマルチモードモバイルデバイスによって符号分割多元接続（ＣＤＭＡ）ネットワークと通信するための方法であって、
前記モバイルデバイスから前記ＣＤＭＡネットワークをターゲットとするＣＤＭＡメッセージに関する情報を含んでいるＯＦＤＭＡメッセージを生成することと、
前記モバイルデバイスにサービス提供するＯＦＤＭＡ基地局に対して、前記ＣＤＭＡメッセージに関する前記情報を含んでいる前記ＯＦＤＭＡメッセージを送信することと、
を備えている方法。
【請求項１２】
前記ＣＤＭＡメッセージは、ＣＤＭＡレジストレーションリクエストを備えている、請求項１１に記載の方法。
【請求項１３】
前記ＣＤＭＡメッセージは、ＣＤＭＡページングリクエストに対する応答を備える、請求項１１に記載の方法。
【請求項１４】
前記モバイルデバイスは、アメリカ電気電子通信学会（ＩＥＥＥ）８０２．１６ファミリの標準規格のうちの１つまたは複数に従ってＯＦＤＭＡフレームを介した通信をサポートし、
前記モバイルデバイスから前記ＣＤＭＡネットワークをターゲットとするＣＤＭＡメッセージに関する情報を含んでいるＯＦＤＭＡメッセージを生成することは、前記ＩＥＥＥ８０２．１６ファミリの標準規格のうちの１つまたは複数に従ったＯＦＤＭＡメッセージを生成することを備える、請求項１１に記載の方法。
【請求項１５】
符号分割多元接続（ＣＤＭＡ）通信及び直交周波数分割多元接続（ＯＦＤＭＡ）通信をサポートするマルチモードモバイルデバイスと通信するための装置であって、
前記モバイルデバイスをターゲットとするＣＤＭＡメッセージについてＣＤＭＡネットワークをモニタするための手段と、
前記モバイルデバイスをターゲットとする前記ＣＤＭＡメッセージを検出することに応じて、ＯＦＤＭＡメッセージで前記ＣＤＭＡメッセージを前記モバイルデバイスに通知するための手段と、
を備えている装置。
【請求項１６】
前記モバイルデバイスをターゲットとする前記ＣＤＭＡメッセージは、ＣＤＭＡページングリクエストを備えている、請求項１５に記載の装置。
【請求項１７】
ＯＦＤＭＡメッセージで前記ＣＤＭＡメッセージを前記モバイルデバイスに通知するための手段は、前記モバイルデバイスにサービス提供するＯＦＤＭＡ基地局に対してＯＦＤＭＡページリクエストを送信するように構成されている、請求項１６に記載の装置。
【請求項１８】
ＯＦＤＭＡメッセージで前記ＣＤＭＡメッセージを前記モバイルデバイスに通知することは、前記モバイルデバイスにサービス提供するＯＦＤＭＡ基地局に対してＯＦＤＭＡデレジスタリクエストを送信するように構成されている、請求項１６に記載の装置。
【請求項１９】
前記モバイルデバイスは、アメリカ電気電子通信学会（ＩＥＥＥ）８０２．１６ファミリの標準規格のうちの１つまたは複数に従ってＯＦＤＭＡ通信をサポートし、
ＯＦＤＭＡメッセージで前記ＣＤＭＡメッセージを前記モバイルデバイスに通知するための手段は、前記ＩＥＥＥ８０２．１６ファミリの標準規格のうちの１つまたは複数に従ったＯＦＤＭＡメッセージで前記ＣＤＭＡメッセージを前記モバイルデバイスに通知するように構成される、請求項１５に記載の装置。
【請求項２０】
符号分割多元接続（ＣＤＭＡ）通信と、直交周波数分割多元接続（ＯＦＤＭＡ）通信とをサポートするマルチモードモバイルデバイスと通信するための装置であって、
前記モバイルデバイスをターゲットとするＣＤＭＡネットワークを介して送信されたＣＤＭＡメッセージに関する情報を含んでいる第１のＯＦＤＭＡメッセージを受信するための手段と、
前記第１のＯＦＤＭＡメッセージを受信することに応じて、前記モバイルデバイスに対し、前記ＣＤＭＡメッセージに関する情報を含んでいる第２のＯＦＤＭＡメッセージを送信するための手段と、
を備えている装置。
【請求項２１】
前記モバイルデバイスをターゲットとする前記ＣＤＭＡメッセージは、ＣＤＭＡページングリクエストを備えている、請求項２０に記載の装置。
【請求項２２】
ＯＦＤＭＡメッセージで前記ＣＤＭＡメッセージを前記モバイルデバイスに通知するための手段は、前記モバイルデバイスに対し、モバイルページング広告（ＭＯＢ＿ＰＡＧ＿ＡＤＶ）メッセージを送信するように構成されており、
前記装置は、前記モバイルデバイスから、前記ＣＤＭＡページングリクエストに対する応答に関する情報を含んでいるＯＦＤＭＡレンジングリクエストメッセージを受信するための手段と、前記ＣＤＭＡネットワークに接続されたゲートウェイデバイスに対し、前記ＣＤＭＡページングリクエストに対する応答で、ＯＦＤＭＡメッセージを送信するための手段と、をさらに備える、
請求項２１に記載の装置。
【請求項２３】
前記第２のＯＦＤＭＡメッセージは、前記モバイルデバイスに対する前記ＣＤＭＡページングリクエストについての情報を含んでいるＯＦＤＭＡデレジスタコマンドメッセージである、請求項２１に記載の装置。
【請求項２４】
前記モバイルデバイスと装置は、アメリカ電気電子通信学会（ＩＥＥＥ）８０２．１６ファミリの標準規格のうちの１つまたは複数に従ってＯＦＤＭＡフレームを介して通信し、
前記第２のＯＦＤＭＡメッセージは、前記ＩＥＥＥ８０２．１６ファミリの標準規格のうちの１つまたは複数に従ったＯＦＤＭＡメッセージを備える、請求項２０に記載の装置。
【請求項２５】
直交周波数分割多元接続（ＯＦＤＭＡ）ネットワークを介して符号分割多元接続（ＣＤＭＡ）ネットワークと通信するための装置であって、
前記ＣＤＭＡネットワークをターゲットとするＣＤＭＡメッセージに関する情報を含んでいるＯＦＤＭＡメッセージを生成するための手段と、
前記装置にサービス提供するＯＦＤＭＡ基地局に対し、前記ＣＤＭＡメッセージに関する前記情報を含んでいる前記ＯＦＤＭＡメッセージを送信するための手段と、
を備えている装置。
【請求項２６】
前記ＣＤＭＡメッセージは、ＣＤＭＡレジストレーションリクエストを備えている、請求項２５に記載の装置。
【請求項２７】
前記ＣＤＭＡメッセージは、ＣＤＭＡページングリクエストに対する応答を備える、請求項２５に記載の装置。
【請求項２８】
前記装置は、アメリカ電気電子通信学会（ＩＥＥＥ）８０２．１６ファミリの標準規格のうちの１つまたは複数に従ってＯＦＤＭＡフレームを介した通信をサポートし、
前記モバイルデバイスから前記ＣＤＭＡネットワークをターゲットとするＣＤＭＡメッセージに関する情報を含んでいる前記ＯＦＤＭＡメッセージは、前記ＩＥＥＥ８０２．１６ファミリの標準規格のうちの１つまたは複数に従ったＯＦＤＭＡメッセージを備える、請求項２５に記載の装置。
【請求項２９】
符号分割多元接続（ＣＤＭＡ）通信及び直交周波数分割多元接続（ＯＦＤＭＡ）通信をサポートするマルチモードモバイルデバイスと通信するためのゲートウェイデバイスであって、
前記モバイルデバイスをターゲットとするＣＤＭＡメッセージについてＣＤＭＡネットワークをモニタするためのＣＤＭＡインタフェースと、
前記モバイルデバイスをターゲットとする前記ＣＤＭＡメッセージを検出することに応じて、ＯＦＤＭＡメッセージで前記ＣＤＭＡメッセージを前記モバイルデバイスに通知するためのＯＦＤＭＡインタフェースと、
を備えているゲートウェイデバイス。
【請求項３０】
前記モバイルデバイスをターゲットとする前記ＣＤＭＡメッセージは、ＣＤＭＡページングリクエストを備えている、請求項２９に記載のゲートウェイデバイス。
【請求項３１】
前記ＯＦＤＭＡインタフェースは、前記モバイルデバイスにサービス提供するＯＦＤＭＡ基地局に対してＯＦＤＭＡページリクエストを送信するように構成されている、請求項３０に記載のゲートウェイデバイス。
【請求項３２】
前記ＯＦＤＭＡインタフェースは、前記モバイルデバイスにサービス提供するＯＦＤＭＡ基地局に対してＯＦＤＭＡデレジスタリクエストを送信するように構成されている、請求項３０に記載のゲートウェイデバイス。
【請求項３３】
前記モバイルデバイスは、アメリカ電気電子通信学会（ＩＥＥＥ）８０２．１６ファミリの標準規格のうちの１つまたは複数に従ってＯＦＤＭＡ通信をサポートし、
前記ＯＦＤＭＡインタフェースは、前記ＩＥＥＥ８０２．１６ファミリの標準規格のうちの１つまたは複数に従ったＯＦＤＭＡメッセージで前記ＣＤＭＡメッセージを前記モバイルデバイスに通知するように構成されている、請求項２９に記載のゲートウェイデバイス。
【請求項３４】
符号分割多元接続（ＣＤＭＡ）通信と直交周波数分割多元接続（ＯＦＤＭＡ）通信とをサポートするマルチモードモバイルデバイスと通信するための基地局であって、
前記モバイルデバイスをターゲットとするＣＤＭＡネットワークを介して送信されたＣＤＭＡメッセージに関する情報を含んでいる第１のＯＦＤＭＡメッセージを受信するための受信機論理と、
前記第１のＯＦＤＭＡメッセージを受信することに応じて、前記モバイルデバイスに対し、前記ＣＤＭＡメッセージに関する情報を含んでいる第２のＯＦＤＭＡメッセージを送信するための送信機論理と、
を備える基地局。
【請求項３５】
前記モバイルデバイスをターゲットとする前記ＣＤＭＡメッセージは、ＣＤＭＡページングリクエストを備えている、請求項３４に記載の基地局。
【請求項３６】
前記第２のＯＦＤＭＡメッセージは、モバイルページング広告（ＭＯＢ＿ＰＡＧ＿ＡＤＶ）メッセージを備え、
前記受信機論理は、前記モバイルデバイスから、前記ＣＤＭＡページングリクエストに対する応答に関する情報を含んでいるＯＦＤＭＡレンジングリクエストメッセージを受信するように構成されており、
前記送信機論理は、前記ＣＤＭＡネットワークに接続されたゲートウェイデバイスに対し、前記ＣＤＭＡページングリクエストに対する応答で、ＯＦＤＭＡメッセージを送信するように構成される、
請求項３５に記載の基地局。
【請求項３７】
前記第２のＯＦＤＭＡメッセージは、前記モバイルデバイスに対する前記ＣＤＭＡページングリクエストについての情報を含んでいるＯＦＤＭＡデレジスタコマンドメッセージである、請求項３５に記載の基地局。
【請求項３８】
前記モバイルデバイスと基地局は、アメリカ電気電子通信学会（ＩＥＥＥ）８０２．１６ファミリの標準規格のうちの１つまたは複数に従ってＯＦＤＭＡフレームを介して通信し、
前記第２のＯＦＤＭＡメッセージは、前記ＩＥＥＥ８０２．１６ファミリの標準規格のうちの１つまたは複数に従ったＯＦＤＭＡを備える、請求項３４に記載の基地局。
【請求項３９】
直交周波数分割多元接続（ＯＦＤＭＡ）ネットワークを介してマルチモードモバイルデバイスによって符号分割多元接続（ＣＤＭＡ）ネットワークと通信することができるマルチモードモバイルデバイスであって、
前記ＣＤＭＡネットワークと通信するためのＣＤＭＡインタフェースと、
前記ＣＤＭＡネットワークをターゲットとするＣＤＭＡメッセージに関する情報を含んでいるＯＦＤＭＡメッセージを生成するための制御論理と、
前記モバイルデバイスにサービス提供するＯＦＤＭＡ基地局に対して、前記ＣＤＭＡメッセージに関する前記情報を含んでいる前記ＯＦＤＭＡメッセージを送信するためのＯＦＤＭＡインタフェースと、
を備えているマルチモードモバイルデバイス。
【請求項４０】
前記ＣＤＭＡメッセージは、ＣＤＭＡレジストレーションリクエストを備えている、請求項３９に記載のモバイルデバイス。
【請求項４１】
前記ＣＤＭＡメッセージは、ＣＤＭＡページングリクエストに対する応答を備える、請求項３９に記載のモバイルデバイス。
【請求項４２】
前記モバイルデバイスは、アメリカ電気電子通信学会（ＩＥＥＥ）８０２．１６ファミリの標準規格のうちの１つまたは複数に従ってＯＦＤＭＡフレームを介した通信をサポートし、
前記モバイルデバイスから前記ＣＤＭＡネットワークをターゲットとするＣＤＭＡメッセージに関する情報を含んでいる前記ＯＦＤＭＡメッセージは、前記ＩＥＥＥ８０２．１６ファミリの標準規格のうちの１つまたは複数に従ったＯＦＤＭＡメッセージを備える、請求項３９に記載のモバイルデバイス。
【請求項４３】
符号分割多元接続（ＣＤＭＡ）通信及び直交周波数分割多元接続（ＯＦＤＭＡ）通信をサポートするマルチモードモバイルデバイスと通信するためのプログラムを含んでいるコンピュータ可読媒体であって、プロセッサによって実行されるときに、
前記モバイルデバイスをターゲットとするＣＤＭＡメッセージについてＣＤＭＡネットワークをモニタすることと、
前記モバイルデバイスをターゲットとする前記ＣＤＭＡメッセージを検出することに応じて、ＯＦＤＭＡメッセージで前記ＣＤＭＡメッセージを前記モバイルデバイスに通知することと、
を備えているオペレーション、
を実行する、
コンピュータ可読媒体。
【請求項４４】
前記モバイルデバイスをターゲットとする前記ＣＤＭＡメッセージは、ＣＤＭＡページングリクエストを備えている、請求項４３に記載のコンピュータ可読媒体。
【請求項４５】
ＯＦＤＭＡメッセージで前記ＣＤＭＡメッセージを前記モバイルデバイスに通知することは、前記モバイルデバイスにサービス提供するＯＦＤＭＡ基地局に対して、ＯＦＤＭＡページリクエストを送信することを備えている、請求項４４に記載のコンピュータ可読媒体。
【請求項４６】
ＯＦＤＭＡメッセージで前記ＣＤＭＡメッセージを前記モバイルデバイスに通知することは、前記モバイルデバイスにサービス提供するＯＦＤＭＡ基地局に対してＯＦＤＭＡデレジスタリクエストを送信することを備えている、請求項４４に記載のコンピュータ可読媒体。
【請求項４７】
前記モバイルデバイスは、アメリカ電気電子通信学会（ＩＥＥＥ）８０２．１６ファミリの標準規格のうちの１つまたは複数に従ってＯＦＤＭＡ通信をサポートし、
ＯＦＤＭＡメッセージで前記ＣＤＭＡメッセージを前記モバイルデバイスに通知することは、前記ＩＥＥＥ８０２．１６ファミリの標準規格のうちの１つまたは複数に従ったＯＦＤＭＡメッセージで前記ＣＤＭＡメッセージを前記モバイルデバイスに通知すること備える、請求項４３に記載のコンピュータ可読媒体。
【請求項４８】
符号分割多元接続（ＣＤＭＡ）通信と直交周波数分割多元接続（ＯＦＤＭＡ）通信をサポートするマルチモードモバイルデバイスと通信するためのプログラムを含んでいるコンピュータ可読媒体であって、プロセッサによって実行されるときに、
前記モバイルデバイスにサービス提供するＯＦＤＭＡ基地局において、前記モバイルデバイスをターゲットとするＣＤＭＡネットワークを介して送信されるＣＤＭＡメッセージに関する情報を含んでいるＯＦＤＭＡメッセージを受信することと、
それに応じて、前記基地局から前記モバイルデバイスへと前記ＣＤＭＡメッセージに関する情報を含んでいるＯＦＤＭＡメッセージを送信することと、
を備えているオペレーション、
を実行する、
コンピュータ可読媒体。
【請求項４９】
前記モバイルデバイスをターゲットとする前記ＣＤＭＡメッセージは、ＣＤＭＡページングリクエストを備えている、請求項４８に記載のコンピュータ可読媒体。
【請求項５０】
ＯＦＤＭＡメッセージで前記ＣＤＭＡメッセージを前記モバイルデバイスに通知することは、前記モバイルデバイスに対し、モバイルページング広告（ＭＯＢ＿ＰＡＧ＿ＡＤＶ）メッセージを送信することを備え、
前記オペレーションは、前記モバイルデバイスから、前記ＣＤＭＡページングリクエストに対する応答に関する情報を含んでいるＯＦＤＭＡレンジングリクエストメッセージを受信することと、前記ＣＤＭＡネットワークに接続されたゲートウェイデバイスに対し、前記ＣＤＭＡページングリクエストに対する応答で、ＯＦＤＭＡメッセージを送信することと、をさらに備える、請求項４９に記載のコンピュータ可読媒体。
【請求項５１】
ＯＦＤＭＡメッセージで前記ＣＤＭＡメッセージを前記モバイルデバイスに通知することは、前記モバイルデバイスに対する前記ＣＤＭＡページングリクエストについての情報を含んでいるＯＦＤＭＡデレジスタコマンドメッセージを送信することを備えている、請求項４９に記載のコンピュータ可読媒体。
【請求項５２】
前記モバイルデバイスと基地局は、アメリカ電気電子通信学会（ＩＥＥＥ）８０２．１６ファミリの標準規格のうちの１つまたは複数に従ってＯＦＤＭＡフレームを介して通信し、
前記基地局から前記モバイルデバイスまでＣＤＭＡメッセージに関する情報を含んでいるＯＦＤＭＡメッセージを送信することは、前記ＩＥＥＥ８０２．１６ファミリの標準規格のうちの１つまたは複数に従ってＯＦＤＭＡを送信することを備える、請求項４８に記載のコンピュータ可読媒体。
【請求項５３】
直交周波数分割多元接続（ＯＦＤＭＡ）ネットワークを介してマルチモードモバイルデバイスによって符号分割多元接続（ＣＤＭＡ）ネットワークと通信するためのプログラムを含んでいるコンピュータ可読媒体であって、プロセッサによって実行されるとき、
前記モバイルデバイスから前記ＣＤＭＡネットワークをターゲットとするＣＤＭＡメッセージに関する情報を含んでいるＯＦＤＭＡメッセージを生成することと、
前記モバイルデバイスにサービス提供するＯＦＤＭＡ基地局に対して、前記ＣＤＭＡメッセージに関する前記情報を含んでいる前記ＯＦＤＭＡメッセージを送信することと、
を備えているオペレーション、
を実行する、
コンピュータ可読媒体。
【請求項５４】
前記ＣＤＭＡメッセージは、ＣＤＭＡレジストレーションリクエストを備えている、請求項５３に記載のコンピュータ可読媒体。
【請求項５５】
前記ＣＤＭＡメッセージは、ＣＤＭＡページングリクエストに対する応答を備える、請求項５３に記載のコンピュータ可読媒体。
【請求項５６】
前記モバイルデバイスは、アメリカ電気電子通信学会（ＩＥＥＥ）８０２．１６ファミリの標準規格のうちの１つまたは複数に従ってＯＦＤＭＡフレームを介した通信をサポートし、
前記モバイルデバイスから前記ＣＤＭＡネットワークをターゲットとするＣＤＭＡメッセージに関する情報を含んでいるＯＦＤＭＡメッセージを生成することは、前記ＩＥＥＥ８０２．１６ファミリの標準規格のうちの１つまたは複数に従ったＯＦＤＭＡメッセージを生成することを備える、請求項５３に記載のコンピュータ可読媒体。
【発明の詳細な説明】
【技術分野】
【０００１】
本開示のある実施形態は、一般的にはワイヤレス通信に関し、より具体的には、オーバレイネットワーク(overlaid network)を備えた２以上の無線接続技術のインタフェーシング(interfacing)に関する。
【背景】
【０００２】
ＩＥＥＥ８０２．１６ｘの下のＯＦＤＭ及びＯＦＤＭＡのワイヤレス通信システムは、マルチプルサブキャリアの周波数の直交性に基づいて、システムにおけるサービスについて登録されたワイヤレスデバイス（すなわち、モバイル局）と通信するために基地局のネットワークを使用し、マルチパスフェージング及び干渉に対する抵抗、のような広帯域ワイヤレス通信のための複数の技術的な利益を達成するためにインプリメントされることができる。各基地局（ＢＳ）は、モバイル局（ＭＳ）に対してデータを伝達する無線周波数（ＲＦ）信号を出し(emits)、モバイル局(ＭＳ)からデータを伝達する無線周波数（ＲＦ）信号を受信する。
【０００３】
加入者にとって利用可能なサービスを拡大するために、いくつかのＭＳは、マルチプル無線通信アクセス技術（ＲＡＴ）を用いた通信をサポートする。例えば、デュアルモードＭＳは、ブロードバンドデータサービスについてはＷｉＭＡＸをサポートし、ボイスサービスについては符号分割多元接続（ＣＤＭＡ）をサポートする。
【０００４】
残念ながら、従来のシステムにおいて、２つのネットワーク間の非効率的な切換(switching)は、いずれかのサービス上のスループットにおける縮小(reduction)を引き起こす可能性がある。
【発明の概要】
【０００５】
ある実施形態は、モバイルデバイスをターゲットとするＣＤＭＡメッセージについてＣＤＭＡネットワークをモニタすることと、モバイルデバイスをターゲットとするＣＤＭＡメッセージを検出することに応じて、ＯＦＤＭＡメッセージでＣＤＭＡメッセージをモバイルデバイスに通知することと(notifying the mobile device of the CDMA message with an OFDMA message)、を一般的に含んでいる方法を提供する。
【０００６】
ある実施形態は、モバイルデバイスにサービス提供するＯＦＤＭＡ基地局において、モバイルデバイスをターゲットとするＣＤＭＡネットワークを介して送信されるＣＤＭＡメッセージに関する情報を含んでいるＯＦＤＭＡメッセージを受信することと、それに応じて、基地局からモバイルデバイスへとＣＤＭＡメッセージに関する情報を含んでいるＯＦＤＭＡメッセージを送信することと、を一般的に含んでいる方法を提供する。
【０００７】
ある実施形態は、モバイルデバイスにおいて、モバイルデバイスからＣＤＭＡネットワークをターゲットとするＣＤＭＡメッセージに関する情報を含んでいるＯＦＤＭＡメッセージを生成することと、モバイルデバイスからモバイルデバイスにサービス提供するＯＦＤＭＡ基地局にＣＤＭＡメッセージに関する情報を含んでいるＯＦＤＭＡメッセージを送信することと、を一般的に含んでいる方法を提供する。
【０００８】
ある実施形態は、符号分割多元接続（ＣＤＭＡ）通信と直交周波数分割多元接続（ＯＦＤＭＡ）通信をサポートする、マルチモードモバイルデバイスと通信するための装置(apparatus)を提供する。装置は、モバイルデバイスをターゲットとするＣＤＭＡメッセージについてＣＤＭＡネットワークをモニタするための手段と、モバイルデバイスをターゲットとするＣＤＭＡメッセージを検出することに応じて、ＯＦＤＭＡメッセージでＣＤＭＡメッセージをモバイルデバイスに通知するための手段と、を一般的に含む。
【０００９】
ある実施形態は、符号分割多元接続（ＣＤＭＡ）通信と直交周波数分割多元接続（ＯＦＤＭＡ）通信をサポートする、マルチモードモバイルデバイスと通信するための装置を提供する。装置は、モバイルデバイスをターゲットとするＣＤＭＡネットワークを介して送信されたＣＤＭＡメッセージに関する情報を含んでいる第１のＯＦＤＭＡメッセージを受信するための手段と、第１のＯＦＤＭＡメッセージを受信することに応じて、モバイルデバイスに対しＣＤＭＡメッセージに関する情報を含んでいる第２のＯＦＤＭＡメッセージを送信するための手段と、を一般的に含む。
【００１０】
ある実施形態は、直交周波数分割多元接続（ＯＦＤＭＡ）ネットワークを介して、符号分割多元接続（ＣＤＭＡ）ネットワークと通信するための装置を提供する。装置は、ＣＤＭＡネットワークをターゲットとするＣＤＭＡメッセージに関する情報を含んでいるＯＦＤＭＡメッセージを生成するための手段と、装置にサービス提供するＯＦＤＭＡ基地局に対しＣＤＭＡメッセージに関する情報を含んでいるＯＦＤＭＡメッセージを送信するための手段と、を一般的に含む。
【００１１】
ある実施形態は、符号分割多元接続（ＣＤＭＡ）通信及び直交周波数分割多元接続（ＯＦＤＭＡ）通信をサポートするマルチモードモバイルデバイスと通信するためのゲートウェイデバイス(gateway device)を提供する。ゲートウェイデバイスは、モバイルデバイスをターゲットとするＣＤＭＡメッセージについてＣＤＭＡネットワークをモニタするためのＣＤＭＡインタフェースと、モバイルデバイスをターゲットとするＣＤＭＡメッセージを検出することに応じて、ＯＦＤＭＡメッセージでＣＤＭＡメッセージをモバイルデバイスに通知するためのＯＦＤＭＡインタフェースと、を一般的に含む。
【００１２】
ある実施形態は、符号分割多元接続(ＣＤＭＡ)通信と直交周波数分割多元接続(ＯＦＤＭＡ)通信をサポートする、マルチモードモバイルデバイスと通信するための基地局(base station)を提供する。基地局は、モバイルデバイスをターゲットとするＣＤＭＡネットワークを介して送信されるＣＤＭＡメッセージに関する情報を含んでいる第１のＯＦＤＭＡメッセージを受信するための受信機論理と、第１のＯＦＤＭＡメッセージを受信することに応じて、モバイルデバイスに対しＣＤＭＡメッセージに関する情報を含んでいる第２のＯＦＤＭＡメッセージ、を送信するための送信機論理と、を一般的に含む。
【００１３】
ある実施形態は、直交周波数分割多元接続（ＯＦＤＭＡ）ネットワークを介して、符号分割多元接続（ＣＤＭＡ）ネットワークと通信することができるマルチモードモバイルデバイスを提供する。モバイルデバイスは、ＣＤＭＡネットワークをターゲットとするＣＤＭＡメッセージに関する情報を含んでいるＯＦＤＭＡメッセージを生成するためのＣＤＭＡネットワーク制御論理と通信するためのＣＤＭＡインタフェースと、モバイルデバイスにサービス提供するＯＦＤＭＡ基地局に対しＣＤＭＡメッセージに関する情報を含んでいるＯＦＤＭＡメッセージを送信するためのＯＦＤＭＡインタフェースと、を一般的に含む。
【００１４】
ある実施形態は、符号分割多元接続（ＣＤＭＡ）通信及び直交周波数分割多元接続（ＯＦＤＭＡ）通信をサポートするマルチモードモバイルデバイスと通信するためのプログラムを含んでいるコンピュータ可読媒体(computer-readable medium)を提供する。プロセッサによって実行されるとき、プログラムは、モバイルデバイスをターゲットとするＣＤＭＡメッセージについてＣＤＭＡネットワークをモニタすることと、モバイルデバイスをターゲットとするＣＤＭＡメッセージを検出することに応じて、ＯＦＤＭＡメッセージでＣＤＭＡメッセージをモバイルデバイスに通知することと、を一般的に含んでいるオペレーション(operation)を実行する。
【００１５】
ある実施形態は、符号分割多元接続（ＣＤＭＡ）通信と直交周波数分割多元接続（ＯＦＤＭＡ）通信をサポートする、マルチモードモバイルデバイスと通信するためのプログラムを含んでいるコンピュータ可読媒体を提供する。プロセッサによって実行されるとき、プログラムは、モバイルデバイスにサービス提供するＯＦＤＭＡ基地局において、モバイルデバイスをターゲットとするＣＤＭＡネットワークを介して送信されるＣＤＭＡメッセージに関する情報を含んでいるＯＦＤＭＡメッセージを受信することと、それに応じて、基地局からモバイルデバイスへとＣＤＭＡメッセージに関する情報を含んでいるＯＦＤＭＡメッセージを送信することと、を一般的に含んでいるオペレーションを実行する。
【００１６】
ある実施形態は、直交周波数分割多元接続（ＯＦＤＭＡ）ネットワークを介してマルチモードモバイルデバイスによって、符号分割多元接続（ＣＤＭＡ）ネットワークと通信するためのプログラムを含んでいるコンピュータ可読媒体を提供する。プロセッサによって実行されるときに、プログラムは、モバイルデバイスからＣＤＭＡネットワークをターゲットとするＣＤＭＡメッセージに関する情報を含んでいるＯＦＤＭＡメッセージを生成することと、モバイルデバイスにサービス提供するＯＦＤＭＡ基地局に対し、ＣＤＭＡメッセージに関する情報を含んでいるＯＤＭＡメッセージを送信することと、を一般的に含んでいるオペレーションを一般的に実行する。
【００１７】
本開示の上記で記載された特徴が詳細に理解されることができる方法で、上記で簡潔に要約された本開示のより具体的な説明は、実施形態を参照することによってなされており、実施形態のいくつかは、添付図面において図示されている。添付図面は、本開示の典型的な実施形態のみを図示しているが、本開示が他の同等な効果的な実施形態を認めることができるため、その範囲を限定するものとしてみなされない、ということは留意されるべきである。
【図面の簡単な説明】
【００１８】
【図１】図１は、本開示のある実施形態に従って、例示的なワイヤレス通信システムを図示する。
【図２】図２は、本開示のある実施形態に従って、ワイヤレスデバイスにおいて利用されることができる様々なコンポーネントを図示する。
【図３】図３は、本開示のある実施形態に従って、直交周波数分割多重化および直交周波数分割多元接続（ＯＦＤＭ／ＯＦＤＭＡ）技術を利用するワイヤレス通信システム内で使用されることができる送信機の例と受信機の例を図示する。
【図４】図４は、符号分割多元接続（ＣＤＭＡ）１ｘネットワーク上でオーバレイされたＷｉＭＡＸネットワークを図示する。
【図５】図５は、本開示の実施形態に従って、ＣＤＭＡ  １ｘモバイル交換センタ（ＭＳＣ）とインタフェース接続することができるＷｉＭＡＸアクセスサービスネットワークゲートウェイ（ＡＳＮ−ＧＷ）のオペレーションの例を図示する。
【図５Ａ】図５Ａは、本開示の実施形態に従って、ＣＤＭＡ  １ｘ  ＭＳＣとインタフェース接続するための図５のオペレーションの例に対応する手段のブロック図である。
【図６Ａ】図６Ａと図６Ｂは、本開示の実施形態に従って、モバイル局がＷｉＭＡＸネットワーク内でアイドルモードで動作している間に、ＣＤＭＡページングリクエストに応じたページングプロシージャの例を図示する。
【図６Ｂ】図６Ａと図６Ｂは、本開示の実施形態に従って、モバイル局がＷｉＭＡＸネットワーク内でアイドルモードで動作している間に、ＣＤＭＡページングリクエストに応じたページングプロシージャの例を図示する。
【図７Ａ】図７Ａ及び図７Ｂは、本開示の実施形態に応じて、モバイル局がＷｉＭＡＸネットワークでトラヒック接続を有する間に、ＣＤＭＡページングリクエストに応じたページングプロシージャの例を図示する。
【図７Ｂ】図７Ａ及び図７Ｂは、本開示の実施形態に応じて、モバイル局がＷｉＭＡＸネットワークでトラヒック接続を有する間に、ＣＤＭＡページングリクエストに応じたページングプロシージャの例を図示する。
【図８】図８は、本開示の実施形態に応じて、ＷｉＭＡＸネットワークにおけるＭＳによって実行されることができる、ＣＤＭＡレジストレーションプロシージャの例を図示する。
【詳細な説明】
【００１９】
本開示の実施形態は、ＷｉＭＡＸネットワークが、符号分割多元接続(ＣＤＭＡ)ネットワークメッセージングのためのメッセージトンネル(message tunnel)としてサービス提供することを可能にすることができる。ある実施形態は、ＭＳがＷｉＭＡＸネットワークにあるとき、ＣＤＭＡ  ＭＳＣとモバイル局（ＭＳ）との間でページリクエストを移送する(transfer)ために、ＷｉＭＡＸサービスアクセスゲートウェイ（ＡＳＮ−ＧＷ）とＣＤＭＡ  １ｘモバイル交換センタ（ＭＳＣ）との間でインタフェースを提供することができる。いくつかの実施形態の場合、インタフェースはまた、ＣＤＭＡネットワークにおけるＭＳのロケーションを更新するために、ＭＳのレジストレーションメッセージを転送することをサービス提供することができる。
【００２０】
結果、ここにおいて提供される技術は、ＣＤＭＡ１ｘネットワークとＷｉＭＡＸネットワークとの間でＭＳが切り換わる頻度を減らすことを手助けする。減らされた切換は、デュアルモードＣＤＭＡ１ｘおよびＷｉＭＡＸオーバーレイにおけるサービス継続を改善し、ＭＳがＷｉＭＡＸネットワークにチューニングされるとき、ブロードバンドデータサービスの品質を改善し、したがって、ユーザエクスピエリエンスを改善することを助ける。
【００２１】
例示的なワイヤレス通信システム(Exemplary Wireless Communication System)
本開示の方法および装置は、ブロードバンドワイヤレス通信システムにおいて利用されることができる。ここにおいて使用されているように、用語「ブロードバンドワイヤレス(broadband wireless)」は、ワイヤレスサービスのいずれの組み合わせ、例えば、与えられたエリアにわたる、ボイス、インターネット、及び／または、データネットワークアクセス、を提供することができる技術を一般的に指す。
【００２２】
ＷｉＭＡＸは、マイクロ波接続のためのワールドワイドな相互作用性(Worldwide Interoperability for Microwave Access)を表わしており、それは、長距離にわたる高スループットブロードバンド接続を提供する標準規格ベースのブロードバンドワイヤレス技術である。今日ＷｉＭＡＸの２つの主要なアプリケーションがあり、それらは、固定ＷｉＭＡＸとモバイルＷｉＭＡＸである。固定ＷｉＭＡＸアプリケーションは、ポイント・ツー・マルチポイントであり、例えば、家と会社のブロードバンドアクセスを可能にする。モバイルＷｉＭＡＸは、ブロードバンドスピードにおけるセルラネットワークのフルモビリティを提供する。
【００２３】
モバイルＷｉＭＡＸは、ＯＦＤＭ（直交周波数分割多重化）およびＯＦＤＭＡ（直交周波数分割多元接続）技術に基づく。ＯＦＤＭは、様々な高速データレート通信システムにおいて近年幅広く採用された、デジタルマルチキャリア変調技術である。ＯＦＤＭを用いて、送信ビットストリームは、マルチプル低レートサブストリームへと分割される。各サブストリームは、マルチプル直交サブキャリアのうちの１つで変調され、複数の並列サブチャネル(parallel subchannels)のうちの１つにわたって送信される。ＯＦＤＭＡは、異なるタイムスロットにおけるサブキャリアをユーザが割り当てられる多元接続技術である。ＯＦＤＭＡは、サービス必要条件の、様々な変動アプリケーション、データレート、及び品質を、多くのユーザに提供することができる、柔軟な多元接続技術である。
【００２４】
ワイヤレスインターネットおよび通信における急速な成長は、ワイヤレス通信サービスの分野における高速データレート(high data rate)の需要の増大をもたらした。今日、ＯＦＤＭ／ＯＦＤＭＡシステムは、最も有望な研究領域のうちの１つとみなされ、次世代のワイヤレス通信の重要な技術とみなされている。これは、ＯＦＤＭ／ＯＦＤＭＡ変調スキームは、従来の単独キャリア変調スキームよりも、例えば、変調効率、スペクトラム効率、柔軟性、及び強力なマルチパス電磁波耐性(strong multipath immunity)、のような多くの利益を提供することができるという事実に起因する。
【００２５】
ＩＥＥＥ８０２．１６ｘは、固定及びモバイルのブロードバンドワイヤレスアクセス（ＢＷＡ）システムの無線インタフェースを定義する新興標準規格団体である。これらの標準規格は、少なくとも４つの異なる物理層（ＰＨＹ）と１つのメディアアクセス制御（ＭＡＣ）層を定義する。４つの物理層のうちのＯＦＤＭ物理層とＯＦＤＭＡ物理層は、それぞれ、固定及びモバイルのＢＷＡエリアにおいて、最も使われている。
【００２６】
図１は、本開示の実施形態が使用されることができるワイヤレス通信システム１００の例を図示する。ワイヤレス通信システム１００は、ブロードバンドワイヤレス通信システムであってもよい。ワイヤレス通信システム１００は、多数のセル１０２のための通信を提供することができ、セルのそれぞれは、基地局１０４によってサービス提供される。基地局１０４は、ユーザ端末１０６と通信する固定局であってもよい。基地局１０４は、代替的に、アクセスポイント、ノードＢ、または他の用語を指すことができる。
【００２７】
図１は、システム１００の全体にわたって分散された様々なユーザ端末１０６を図示する。ユーザ端末１０６は、固定（すなわち、静止）またはモバイルであってもよい。ユーザ端末１０６は、代替的に、遠隔ステーション、アクセス端末、端末、加入者ユニット、モバイル局、局、ユーザ機器などを指すことができる。ユーザ端末１０６は、セルラ電話、携帯情報端末（ＰＤＡ）、ハンドヘルドデバイス、ワイヤレスモデム、ラップトップコンピュータ、パソコンなどのようなワイヤレスデバイスであってもよい。
【００２８】
様々なアルゴリズム及び方法は、基地局１０４とユーザ端末１０６との間のワイヤレス通信システム１００における送信に使用されることができる。例えば、信号はＯＦＤＭ／ＯＦＤＭＡ技術に従って、基地局１０４とユーザ端末１０６との間で、送信され受信されることができる。その場合には、ワイヤレス通信システム１００はＯＦＤＭ／ＯＦＤＭＡシステムと呼ばれる。
【００２９】
基地局１０４からユーザ端末１０６までの送信を容易にする通信リンクは、ダウンリンク１０８と呼ばれ、ユーザ端末１０６から基地局１０４までの送信を容易にする通信リンクは、アップリンク１１０と呼ばれる。あるいは、ダウンリンク１０８は順方向リンクあるいは順方向チャネルと呼ばれてもよく、アップリンク１１０は、逆方向リンクあるいは逆方向チャネルと呼ばれてもよい。
【００３０】
セル１０２はマルチプルセクタ１１２に分割されることができる。セクタ１１２は、セル１０２内の物理的なサービスエリアである。ワイヤレス通信システム１００内の基地局１０４は、セル１０２の特定セクタ１１２内のパワー(power)のフローを集中させるアンテナを利用することができる。そのようなアンテナは指向性アンテナ(directional antennas)と呼ばれることができる。
【００３１】
図２は、ワイヤレス通信システム１００内で利用されることができる、ワイヤレスデバイス２０２において利用されることができる様々なコンポーネントを図示する。ワイヤレスデバイス２０２は、ここにおいて説明された様々な方法をインプリメントするように構成されることができるデバイスの一例である。ワイヤレスデバイス２０２は、基地局１０４あるいはユーザ端末１０６であってもよい。
【００３２】
ワイヤレスデバイス２０２は、ワイヤレスデバイス２０２のオペレーションを制御するプロセッサ２０４を含むことができる。プロセッサ２０４はまた、中央処理装置(central processing unit)（ＣＰＵ）と呼ばれてもよい。読み出し専用メモリ（ＲＯＭ）およびランダムアクセスメモリ（ＲＡＭ）の両方を含むことができる、メモリ２０６は、プロセッサ２０４に対して、命令(instructions)とデータを提供する。メモリ２０６の一部分はまたは、不揮発性ランダムアクセスメモリ（ＮＶＲＡＭ）を含むことができる。プロセッサ２０４は、典型的には、メモリ２０６内で保存されたプログラム命令に基づいて、論理及び算術の演算を実行する。メモリ２０６における命令は、ここにおいて説明された方法をインプリメントするように実行することができる。
【００３３】
ワイヤレスデバイス２０２はまた、ワイヤレスデバイス２０２と遠隔ロケーションとの間のデータの送信及び受信を可能にするために、送信機２１０と受信機２１２を含むことができる、ハウジング２０８を含むことができる。送信機２１０と受信機２１２は、トランシーバ２１４へと組み合わせられることができる。アンテナ２１６は、ハウジング２０８に対して取り付けられ、トランシーバ２１４に電気的に結合されうる。ワイヤレスデバイス２０２はまた、マルチプル送信機、マルチプル受信機、マルチプルトランシーバ、及び/または、マルチプルアンテナを含むことができる（図示せず）。
【００３４】
ワイヤレスデバイス２０２はまた、トランシーバ２１４によって受信された信号のレベルを検出し定量化するために、使用されることができる信号検出器２１８を含むことができる。信号検出器２１８は、合計エネルギー、偽雑音（ＰＮ）チップあたりのパイロットエネルギー、電力スペクトル密度、のような信号、および他の信号を検出することができる。ワイヤレスデバイス２０２はまた、信号を処理することに使用されるデジタル信号プロセッサ（ＤＳＰ）２２０を含むことができる。
【００３５】
ワイヤレスデバイス２０２の様々なコンポーネントは、バスシステム２２２によって一緒に結合されてもよく、そしてそれは、データバスに加え、パワーバス、制御信号バス、そしてステータス信号バスを含むことができる。
【００３６】
図３は、ＯＦＤＭ／ＯＦＤＭＡを利用するワイヤレス通信システム１００内で使用されることができる送信機３０２の例を説明する。送信機３０２の部分は、ワイヤレスデバイス２０２の送信機２１０においてインプリメントされることができる。送信機３０２は、ダウンリンク１０８上でユーザ端末１０６に対してデータ３０６を送信するために、基地局１０４においてインプリメントされることができる。送信機３０２はまた、アップリンク１１０上で基地局１０４に対してデータ３０６を送信するために、ユーザ端末１０６においてインプリメントされることができる。
【００３７】
送信されるべきデータ３０６は、直列／並列（Ｓ／Ｐ）コンバータ３０８に対して入力として提供されていることが示されている。Ｓ／Ｐコンバータ３０８は、送信データをＮ個の並列のデータストリーム３１０に分割することができる。
【００３８】
Ｎ個の並列データストリーム３１０は、マッパー３１２に対して入力として供給されることができる。マッパー３１２は、Ｎ個のコンスタレーションポイント上へ、Ｎ個の並列のデータストリーム３１０をマッピングすることができる。マッピングは、バイナリ位相シフトキーイング（ＢＰＳＫ）、直角位相シフトキーイング（ＱＰＳＫ）、８位相シフトキーイング（８ＰＳＫ）、直交振幅変調（ＱＡＭ）などのようないくつかの変調コンスタレーションを使用して行われることができる。したがって、マッパー３１２は、Ｎ個の並列シンボルストリーム３１６を出力することができ、各シンボルストリーム３１６は、逆高速フーリエ変換（ＩＦＦＴ）３２０のＮ個の直交サブキャリアのうちの１つに対応する。これらのＮ個の並列シンボルストリーム３１６は、周波数ドメインで表わされ、ＩＦＦＴコンポーネント３２０によってＮ個の並列時間ドメインサンプルストリーム３１８へと変換されることができる。
【００３９】
用語に関する簡単な注釈が提供されている。周波数ドメインにおけるＮ個の並列の変調は、周波数ドメインにおけるＮ個の変調シンボルと等しく、そしてＮ個の変調シンボルは、周波数ドメインにおけるＮ個のマッピングとＮポイントに等しく、そしてＮ個のマッピングとＮポイントは、時間ドメインにおける１つの（有用な）ＯＦＤＭシンボルに等しく、そしてＯＦＤＭシンボルは、時間ドメインにおけるＮ個のサンプルと等しい。時間ドメインにおける１つのＯＦＤＭシンボル、Ｎｓは、Ｎｃｐ（ＯＦＤＭシンボルあたりのガードサンプルの数）＋Ｎ（ＯＦＤＭシンボルあたりの有用なサンプルの数）と等しい。
【００４０】
Ｎ個の並列時間ドメインサンプルストリーム３１８は、並列／直列（Ｐ／Ｓ）コンバータ３２４によって、ＯＦＤＭ／ＯＦＤＭＡシンボルストリーム３２２へと変換されることができる。ガード挿入コンポーネント３２６は、ＯＦＤＭ／ＯＦＤＭＡシンボルストリーム３２２における連続ＯＦＤＭ／ＯＦＤＭＡシンボル間に、ガードインターバルを挿入することができる。ガード挿入コンポーネント３２６の出力は、無線周波数（ＲＦ）フロントエンド３２８によって望ましい送信周波数帯にアップコンバートされることができる。アンテナ３３０は、結果として生じる信号３３２を送信することができる。
【００４１】
図３はまた、ＯＦＤＭ／ＯＦＤＭＡを利用するワイヤレスデバイス２０２内で使用されることができる受信機３０４の例を図示する。受信機３０４の部分は、ワイヤレスデバイス２０２の受信機２１２においてインプリメントされることができる。受信機３０４は、ダウンリンク１０８上で基地局１０４からデータ３０６を受け取るために、ユーザ端末１０６においてインプリメントされることができる。受信機３０４はまた、アップリンク１１０上でユーザ端末１０６からデータ３０６を受け取るために、基地局１０４においてインプリメントされることができる。
【００４２】
送信された信号３３２は、ワイヤレスチャネルにわたって移動して示される。信号３３２’がアンテナ３３０’によって受け取られるとき、受信された信号３３２’は、ＲＦフロントエンド３２８’によってベースバンド信号にダウンコンバートされることができる。その後、ガード除去コンポーネント３２６’は、ガード挿入コンポーネント３２６によってＯＦＤＭ／ＯＦＤＭＡシンボル間に挿入されたガードインターバルを取り除くことができる。
【００４３】
ガード除去コンポーネント３２６’の出力は、Ｓ／Ｐコンバータ３２４’に供給されることができる。Ｓ／Ｐコンバータ３２４’は、ＯＦＤＭ／ＯＦＤＭＡシンボルストリーム３２２’をＮ個の並列時間ドメインシンボルストリーム３１８’に分割することができ、そしてそれらのそれぞれは、Ｎ個の直交サブキャリアのうちの１つに対応する。高速フーリエ変換（ＦＦＴ）コンポーネント３２０’は、Ｎ個の並列時間ドメインシンボルストリーム３１８’を周波数ドメインへと変換し、Ｎ個の並列周波数ドメインシンボルストリーム３１６’を出力することができる。
【００４４】
デマッパー３１２’は、マッパー３１２によって実行されたシンボルマッピングオペレーションの逆を実行し、結果、Ｎ個の並列データストリーム３１０’を出力する。Ｐ／Ｓコンバータ３０８’は、Ｎ個の並列データストリーム３１０’を単一のデータストリーム３０６’へと組み合わせることができる。理想的には、このデータストリーム３０６’は、送信機３０２に対して入力として供給されたデータ３０６に対応する。エレメント’３０８、３１０’、３１２’、３１６’、３２０’、３１８’、及び３２４’はすべてベースバンドプロセッサ３４０’上で見つけられることができる。
【００４５】
ＷｉＭＡＸネットワークにおけるＣＤＭＡネットワーク切換通知(CDMA Network Switching Notification in a WiMAX Network)
ワイヤレスサービスの配備では、異なるワイヤレス通信アクセス技術（ＲＡＴ）は、マルチプルサービスを提供するために組み合わせられることができる。例えば、図４は、ブロードバンドデータサービスを提供するために、モバイルＷｉＭＡＸネットワーク４１０が符号分割多元接続（ＣＤＭＡ）１ｘネットワーク４２０と組み合わせられることができるシステム４００を図示する。システムでは、加入者は、回路切換ボイスサービスを利用するためにＣＤＭＡネットワークにチューニングし、そしてブロードバンドデータサービスを使用するためにＷｉＭＡＸネットワークにチューニングするために、単独のデュアルモード（ＣＤＭＡ及びＷｉＭＡＸ）モバイル局（ＭＳ）４３０を使用することができる。
【００４６】
従来のシステムでは、２つのネットワーク間の非能率的な切換は、いずれのサービス上で、スループットにおける削減を引き起こす可能性がある。例えば、従来のシステムでは、ブロードバンドサービスのためのＷｉＭＡＸネットワークに接続されたデュアルモードＭＳは、ＣＤＭＡページメッセージについてチェックしＣＤＭＡレジストレーションを実行するために、ＣＤＭＡネットワークに周期的に切り換わる必要があるであろう。この周期的な切換は、既存のブロードバンドデータサービスを分裂させ(dirupt)、ユーザエクスピエリエンスを損なわせる可能性がある。
【００４７】
しかしながら、本開示の実施形態は、ＷｉＭＡＸネットワークの１つまたは複数のコンポーネントがＣＤＭＡネットワークの１つまたは複数のコンポーネントとインタフェース接続することを可能にすることによって、そのような切換を減らし、サービスの中断を回避することに役立つ。例えば、１つまたは複数のコンポーネントは、ＷｉＭＡＸネットワークを利用しているＭＳをターゲットとするＣＤＭＡネットワークメッセージのためにメッセージトンネルを提供することができる。
【００４８】
例えば、実施形態は、ＭＳがＷｉＭＡＸネットワークに接続されるとき、ＣＤＭＡ  ＭＳＣ４２８とモバイル局（ＭＳ）４３０との間でページリクエストを移送するために、ＷｉＭＡＸサービスアクセスゲートウェイ（ＡＳＮ−ＧＷ）４１６とＣＤＭＡモバイル交換センタ（ＭＳＣ）４２８との間でインタフェースを提供することできる。さらに、インタフェースは、ＣＤＭＡネットワークにおいてＭＳのロケーションを更新するために、ＭＳ４３０のレジストレーションメッセージを移送することをサービス提供することができる。このことは、ＭＳ４３０によるネットワーク切換の頻度を縮小し、結果、ＭＳ４３０がＷｉＭＡＸネットワークにチューニングされるとき、ブロードバンドデータサービスの品質を改善する。
【００４９】
図４で図示されるように、ＣＤＭＡネットワーク４２０は、ＷｉＭＡＸネットワーク４１０でオーバレイされることができる。ＣＤＭＡサービスは、複数のハードウェアおよびソフトウェアのコンポーネントによって地理的領域に提供されることができる。この地理的領域は、地域（region）に分割され、それは、セルと呼ばれ、サービスタワー４００のあたりに集中する（centered）。空間効率を増大させる試みにおいて、単一のサービスタワー４００は、マルチプルＲＡＴをサポートすることができる。例えば、サービスタワー４００は、ＷｉＭＡＸ基地局（ＢＳ）４１４とＣＤＭＡ  ＢＳ４２４の両方をサポートすることができる。上記されているように、各ＢＳはワイヤレス信号の送信および受信のための機器を含むことができる。
【００５０】
ＣＤＭＡ  ＢＳ４２４は、基地局コントローラ（ＢＳＣ）４２６との通信を暗号化し解読するための機器を含むことができ、そしてそれは、マルチプルのＣＤＭＡ  ＢＳのためのインテリジェント制御を供給することができる。ＢＳＣ４２６は、その制限の下、数十個のＢＳ、あるいは、数百のＢＳを有することができる。ＢＳＣ４２６は、ワイヤレスチャンネルの割り付けを扱ってもよく、ＭＳ４３０から測定値を受け取ってもよく、あるいは、あるＢＳから別のＢＳまでのハンドオーバを制御してもよい。さらに、ＢＳＣ４２６は、ＢＳに対する複数の低キャパシティ接続がモバイル交換センタ（ＭＳＣ）４２８のほうのより少ない数の接続に減らされた場合のコンセントレータ(concentrator)として作用することができる。
【００５１】
ＭＳＣ４２８は、ＣＤＭＡネットワークのためのプライマリサービス配信ノードとしてサービス提供することができる。ボイス呼び出し及びテキストメッセージ（ＳＭＳ）を取り扱うことと、具体的には、エンド・ツー・エンド接続を設定しリリースすること、呼び出しの間にモビリティ及びハンドオーバ必要要件を取り扱うことと、そして、チャージング(charging)及びリアルタイムのプリペイドアカウントモニタリングを管理することと(taking care of)、をつかさどる。さらに、ＭＳＣ４２８は、呼び出されているＭＳのロケーションを決定することができ、例えば公衆交換電話網（ＰＳＴＮ）のような地上通信線(landline)とインタフェース接続することができる。
【００５２】
ＷｉＭＡＸネットワーク４２０の場合、アクセスサービスネットワークゲートウエイ（ＡＳＮ−ＧＷ）４１６は、マルチプルＷｉＭＡＸ  ＢＳを制御することができる。ＡＳＮ−ＧＷ４１６は、チャネルを割り付け、ＭＳ４３０から測定値を受信し、あるＢＳから別のＢＳまでのハンドオーバを制御することができる。
【００５３】
ＡＳＮ−ＧＷ４１６は、その管理の下でＢＳを通じたすべてのＷｉＭＡＸトラヒックフローに対するアクセスをそれに供給する方法で位置づけられることができる（located）。そのロケーションに起因して、ＡＳＮ−ＧＷ４１６は、ＣＤＭＡネットワークとＷｉＭＡＸネットワークとの間のインタフェースとしてサービス提供するために、適切なロケーション(opportune location)を提供することができる。ある実施形態の場合、ＡＳＮ−ＧＷ４１６は、ページングメッセージについてＣＤＭＡネットワークをモニタし、そして、それに応じて、ページングメッセージのインジケーションを含む、ＷｉＭＡＸメッセージを生成する。結果、ＷｉＭＡＸネットワーク４２０への接続を備えたデュアルモードＭＳは、ＣＤＭＡネットワーク４１０に切り換わることなく、ＣＤＭＡページングメッセージを検出することができ、そしてそれは、ブロードバンドデータサービスの品質を改善することができる。
【００５４】
図５は、本開示のある実施形態に従って、ＣＤＭＡ  ＭＳＣ４２８とＭＳ４３０との間でページングリクエストを移送するために、例えばＷｉＭＡＸ  ＡＳＮ−ＧＷ４１６で、実行されることができるオペレーション５００の例を図示する。オペレーション５００は、例えば、ＷｉＭＡＸネットワーク４２０に接続されたＭＳ４３０に対してボイス呼び出しがされることを可能にするために実行されることができる。
【００５５】
オペレーション５００は、５０２で、ＭＳをターゲットとするページングリクエストについてＣＤＭＡネットワークをモニタすることにより、始まる。ＣＤＭＡページングリクエストが受信される場合には、５０４で決定されるように、ＭＳは、５０６で、ページング情報を含んでいるＷｉＭＡＸメッセージを介してＣＤＭＡページングリクエストリクエストを通知される。
【００５６】
いくつかの例では(例、ＭＳがＷｉＭＡＸアイドルモードにあるとき）、ＡＳＮ−ＧＷによって送信されたＷｉＭＡＸメッセージは、ＣＤＭＡページリクエスト情報を備えたＷｉＭＡＸページリクエストの形式をとることができる。他の例では（例、ＭＳがＷｉＭＡＸネットワークにおいてトラヒック接続を有するとき）では、ＡＳＮ−ＧＷによって送信されたＷｉＭＡＸメッセージは、ＣＤＭＡページリクエスト情報を備えたＷｉＭＡＸデレジスタリクエストの形式をとることができる。
【００５７】
いくつかの実施形態では、ＣＤＭＡページリクエスト情報は、現在のバージョンの基準の下でリザーブされるビットを使用して、標準ＷｉＭＡＸメッセージに含まれることができる。例えば、ＭＯＢ＿ＰＡＧ−ＡＤＶメッセージは、現在のバージョンの８０２．１６標準規格に従って、ＭＳＣページリクエストを示すために使用されることができる１セットのＡＣＴＩＯＮ＿ＣＯＤＥビットの後で少なくとも６つのリザーブされたビットを有する。ＭＳＣページリクエストを示すために、現在の８０２．１６標準規格の下でリザーブされたビットを使用することは、本開示の実施形態のインプリメンテーションを容易にすることができ、現在の標準規格に対する変更を最小限にする。
【００５８】
図６Ａと図６Ｂは、ＣＤＭＡページングリクエストに応じてページングプロシージャに対応する図４で示されたシステムのコンポーネント間のメッセージフローの例を図示しており、ＭＳ４３０はＷｉＭＡＸネットワークでアイドルモードにある。
【００５９】
図６Ａで図示されているように、ページングプロシージャは、ＡＳＮ−ＧＷ４１６に対してＭＳ４３０をターゲットとするＣＤＭＡページングリクエスト６１０を送るＭＳＣ４２８から始まる。これに応じて、ＡＳＮ−ＧＷ４１６は、ＭＳ４３０をターゲットとするＷｉＭＡＸページングリクエスト６２０を生成することができる。図示されているように、ＷｉＭＡＸページングリクエストは、ＣＤＭＡページリクエスト情報を含むことができ、そして、ＷｉＭＡＸ  ＢＳ４１４に対して送られることができる。
【００６０】
ＷｉＭＡＸページングリクエスト６２０を受け取った後で、ＢＳ４１４は、ＭＯＢ＿ＰＡＧ−ＡＤＶメッセージ６３０を生成することができ、そしてそれは、ＣＤＭＡページリクエスト情報を含むよう修正された標準ＷｉＭＡＸメッセージフォーマットであってもよい。ＭＯＢ＿ＰＡＧ−ＡＤＶメッセージ６３０に応じて、ＭＳ４３０およびＷｉＭＡＸ  ＢＳ４１４は、従来のＷｉＭＡＸレンジングメッセージ交換６４０を行うことができる。
【００６１】
ＣＤＭＡページリクエストに応答するために、ＭＳ４３０は、ＣＤＭＡネットワークにチューニングし、ＣＤＭＡ  ＢＳ４２４に対してＣＤＭＡページ応答６５０を送ることができる。ＣＤＭＡページ応答６５０は、ＣＤＭＡネットワーク４２０を通じて転送されることができる。従来のＣＤＭＡオペレーションは、例えば、ＣＤＭＡボイス呼び出しセットアッププロシージャ、呼び出しのためのボイス通信、そして、後続呼び出しリリースプロシージャに、続く。ＣＤＭＡオペレーションの完了後、ＭＳ４３０は、ＷｉＭＡＸネットワークに戻ってチューニングし、ＷｉＭＡＸネットワーク再エントリプロシージャを実行することができる。
【００６２】
図６Ｂで図示されているように、ある実施形態の場合、ＭＳ４３０とＢＳ４１４は、修正されたレンジングメッセージ交換６４０’に従事することができる。レンジングメッセージ交換６４０’は、ＢＳ４１４に対してＭＳ４３０によって送信されたＷｉＭＡＸレンジングリクエストがＣＤＭＡページ応答情報を含むことができるという点において、従来のレンジングメッセージ交換と比較して、修正されることができる。その結果、ＭＳは図６Ａで示されているようにＣＤＭＡ  ＢＳ４２４に対してページング応答を送信するよりもむしろ、ＭＳは、図６Ｂで示されるＷｉＭＡＸ  ＡＳＮ−ＧＷ４１６に対して、ページング応答６５０’を送信することができる。ＷｉＭＡＸ  ＡＳＮ−ＧＷ４１６は、ＭＳＣ４２８上へページング応答６５０’を転送することができる。上記されているように、ＭＳ４３０は、ＣＤＭＡネットワークにチューニングし、従来のＣＤＭＡオペレーションを開始することができる。
【００６３】
いくつかの例では、ＭＳ４３０は、ＡＳＮ−ＧＷ４１６がＣＤＭＡ  ＭＳＣ４２８からＣＤＭＡページングリクエストを受信するとき、ＭＳ４３０は、ＷｉＭＡＸネットワークとトラヒック接続を有することができる。図７Ａと図７Ｂは、ＣＤＭＡページングリクエストに応じてページングプロシージャの例を図示するが、ＭＳ４３０は、ＷｉＭＡＸネットワークとトラヒック接続を有する。図７Ａは、ＣＤＭＡページ応答を送信する前に（図６Ａ）、ＣＤＭＡネットワークにＭＳ４３０がチューニングするプロシージャの例を図示する。
【００６４】
図７Ａで図示されるように、ＣＤＭＡ  ＭＳＣ４２８からページングリクエスト６１０を受信することに応じて、ＭＳ４３０がアクティブなトラヒック接続を有する場合には、ＷｉＭＡＸ  ＡＳＮ−ＧＷは、修正されたデレジスタリクエスト７２０をＷｉＭＡＸ  ＢＳ４１４に送信することによって、デュアルモードＭＳ４３０にアイドルモードに入ることを強制する。図示されているように、修正されたＷｉＭＡＸデレジスタリクエスト７２０は、ＣＤＭＡページリクエスト情報を含むことができる。修正されたデレジスタリクエスト７２０’に応じて、ＢＳ４１４は、ＭＳ４３０に対して、修正されたＷｉＭＡＸ  ＤＲＥＧ−ＣＭＤ７３０を送信することができる。これに応じて、ＭＳ４３０は、ＣＤＭＡ  ＢＳ４２４にＣＤＭＡページ応答６５０を送信するためにＣＤＭＡネットワークにチューニングする前に、従来のＣＤＭＡオペレーションが続く後で、ＷｉＭＡＸ  ＢＳ４１４に対して従来のＤＲＥＧ−ＲＥＱを送信することができる。
【００６５】
ある実施形態の場合とある環境においては、ＭＳ４３０は、拒絶ステータスを備えたデレジスタリクエストで返答し、ＷｉＭＡＸネットワークにとどまり続けることによって、ＷｉＭＡＸネットワークからのデレジスタコマンドを拒絶することができる。
【００６６】
ある実施形態の場合、デュアルモードＭＳ４３０は、図７Ｂで図示されているように、ＣＤＭＡネットワークにチューニングする前にＷｉＭＡＸネットワークを通じて送信された修正されたページ応答でＣＤＭＡページングリクエストに応答することができる。説明された例では、ＭＳ４３０は、ＷｉＭＡＸ  ＢＳ４１４に対して、修正されたＤＲＥＧ−ＲＥＱ（ＣＤＭＡページ応答情報を含む）を送ることができる。これに応じて、ＢＳ４１４は、ＡＳＮ−ＧＷ４１６に対して、修正されたＷｉＭＡＸページ応答７５０（ＣＤＭＡページ応答情報を含む）を送信することができる。ＡＳＮ−ＧＷ４１６は、修正されたＷｉＭＡＸページ応答７５０を従来のＣＤＭＡページ応答７６０に変換することができ、そしてそれはＣＤＭＡ  ＭＳＣ４２８へ転送されることができる。
【００６７】
ここまで説明された実施形態の例は、ＣＤＭＡネットワークを介して開始され、ＷｉＭＡＸネットワークを通じてデュアルモードＭＳ４３０に対してトンネリングされる、リクエストを含んでいる。しかしながら、ある実施形態の場合、ＭＳ４３０は、ＣＤＭＡリクエストを開始するＷｉＭＡＸメッセージタイプをサポートすることができる。
【００６８】
例えば、図８で図示されているように、ＭＳ４３０は、図８で図示されているように、ＷｉＭＡＸネットワークを介してＣＤＭＡレジストレーションプロシージャを開始することができる。ＣＤＭＡページングリクエストに応じてＣＤＭＡネットワークにＭＳを応答させた上記で記載された実施形態とは対照に、ＭＳはまた、ＭＳ４３０が特定ＷｉＭＡＸ  ＡＳＮ−ＧＷ４１６を備えているということをＣＤＭＡネットワークに効率的にシグナリングして、ＣＤＭＡレジストレーションプロシージャを開始することができる。
【００６９】
ＣＤＭＡレジストレーションプロシージャを開始するために、ＭＳ４３０（例、ＷｉＭＡＸネットワーク内でアイドルモードにある）は、ＷｉＭＡＸ  ＢＳ４１４に対して、修正されたレンジングリクエスト８１０（レジストレーションリクエストに関する情報を含む）を送信する。それに応じて、ＢＳ４１４は、従来のレンジング応答８１２で応答し、また修正されたレジストレーションリクエスト８２０をＷｉＭＡＸ  ＡＳＮ−ＧＷ４１６に対し送信することができ、そしてそれはＣＤＭＡレジストレーション情報も含むことができる。修正されたＷｉＭＡＸレジストレーションリクエスト８２０に応じて、ＡＳＮ−ＧＷ４１６は、ＷｉＭＡＸネットワークから切り換わることなく、ＣＤＭＡ  ＭＳＣ４２８に対し従来のＣＤＭＡレジストレーションリクエスト８３０を送信することができ、デュアルモードＭＳ４３０がＣＤＭＡネットワーク内でそのロケーションを更新することを効率的に可能にする。
【００７０】
上記された方法の様々なオペレーションは、図面で図示されたミーンズプラスファンクションブロックに対応する、様々なハードウェア及び／ソフトウェアコンポーネント（単数または複数）及び／またはモジュール（単数または複数）によって実行されることができる。一般的には、対応する対応物のミーンズプラスファンクションの図を有する図で図示された方法がある場合には、オペレーションブロックは、同様なナンバリングを備えたミーンズプラスファンクションブロックに対応する。例えば、図５で説明されたブロック５０２−５０６は、図５Ａで図示されたミーンズプラスファンクションブロック５０２Ａ−５０６Ａに対応する。
【００７１】
情報と信号は、様々な異なる技術及び技法のいずれかを使用して表わされることができる。例えば、上記の説明の全体にわたって参照されることができる、データ、命令、コマンド、情報、信号、及び同様なものは、電圧、電流、電磁波、磁場あるいは磁粒子、光場あるいは光学粒子、あるいはそれらのいずれの組み合わせ、によって表わされることができる。
【００７２】
本開示に関連して説明された様々な説明のための、論理ブロック、モジュールおよび回路は、汎用プロセッサ、デジタル信号プロセッサ（ＤＳＰ）、特定用途向け集積回路（ＡＳＩＣ）、フィールドプログラマブルゲートアレイ（ＦＰＧＡ）、あるいは他のプログラマブル論理デバイス（ＰＬＤ）、ディスクリートゲートあるいはトランジスタロジック、ディスクリートハードウェアコンポーネント、あるいは、ここに説明された機能を実行するように設計されたそれらのいずれの組み合わせ、でインプリメントされる、あるいは実行されることができる。汎用プロセッサは、マイクロプロセッサであってもよいが、代替として、プロセッサは、いずれの商業的に利用可能なプロセッサ、コントローラ、マイクロコントローラ、あるいはステートマシン(state machine)であってもよい。プロセッサはまた、コンピューティングデバイスの組み合わせ、例えばＤＳＰとマイクロプロセッサの組み合わせの組み合わせ、複数のマイクロプロセッサ、ＤＳＰコアと連結する１つまたは複数のマイクロプロセッサ、あるいは他のそのような構成、としてインプリメントされることができる。
【００７３】
本開示に関して説明された方法またはアルゴリズムのステップは、直接ハードウェアにおいて、プロセッサによって実行されたソフトウェアモジュールにおいて、あるいは２つの組み合わせにおいて、具現化されることができる。ソフトウェアモジュールは、当技術分野で知られているストレージ媒体のいずれの形態において存在することができる。使用されることができるストレージ媒体のいくつかの例は、ランダムアクセスメモリ（ＲＡＭ）、読み出し専用メモリ（ＲＯＭ）、フラッシュメモリ、ＥＰＲＯＭメモリ、ＥＥＰＲＯＭメモリ、レジスタ、ハードディスク、リムーバブルディスク、ＣＤ−ＲＯＭなどを含む。ソフトウェアモジュールは、単一の命令、または多くの命令を備えることができ、いくつかの異なるコードセグメントにわたって、異なるプログラムの中で、そして、マルチプルストレージ媒体上で、配信されることができる。ストレージ媒体は、プロセッサに結合されるので、プロセッサがストレージ媒体から情報を読み取ることができ、そしてストレージ媒体に情報を書き込むことができる。あるいは、ストレージ媒体は、プロセッサに一体化されていてもよい。
【００７４】
ここに開示された方法は、上記方法を達成するための1つまたは複数のステップまたは動作を備える。方法のステップ及び/または動作は、特許請求項の範囲を逸脱することなく、互いに置き換えることができる。言いかえれば、ステップまたは動作の特定順序が指定されていない限り、特定のステップ及び／または動作の順序及び／または使用は、特許請求の範囲を逸脱することなく修正されることができる。
【００７５】
記載された機能は、ハードウェア、ソフトウェア、ファームウェアあるいはそれらの組み合わせにおいてインプリメントされることができる。ソフトウェアでインプリメントされる場合には、機能は、コンピュータ可読媒体上で、１つまたは複数の命令として、記憶されることができる。ストレージ媒体は、コンピュータによってアクセスされることができる、いずれの利用可能な媒体であることができる。例として、また限定されていないが、そのようなコンピュータ可読媒体は、ＲＡＭ、ＲＯＭ、ＥＥＰＲＯＭ、ＣＤ−ＲＯＭあるいは他の光学ディスクストレージ、磁気ディスクストレージあるいは他の磁気ストレージデバイス、あるいは、命令あるいはデータストラクチャの形態で望まれるプログラムコードを搬送あるいは保存するために使用されることができる、また、コンピュータによってアクセスされることができる、任意の他の媒体、を備えることができる。ディスク(Disk)とディスク(disc)は、ここにおいて使用されているように、コンパクトディスク（ＣＤ）、レーザー（登録商標）ディスク、光学ディスク、デジタルバーサタイルディスク（ＤＶＤ）、フロッピー（登録商標）ディスクおよびブルーレイディスクを含んでおり、ディスク(disks)は、磁気的にデータを再生し、ディスク(discs)はレーザーで光学的にデータを再生する。
【００７６】
ソフトウェアまたは命令はまた、送信メディア上で送信されることができる。例えば、ソフトウェアがウェブサイト、サーバ、あるいは、同軸ケーブル、光ファイバーケーブル、ツイストペア(twisted pair)、デジタル加入者ライン(digital subscriber line)(ＤＳＬ)、あるいは赤外線、無線、およびマイクロ波のようなワイヤレス技術を使用している他の遠隔ソース、から送信される場合には、そのときには、同軸ケーブル、光ファイバーケーブル、ツイストペア、ＤＳＬ、あるいは赤外線、無線、およびマイクロ波のようなワイヤレス技術は、送信媒体(medium)の定義に含まれる。
【００７７】
さらに、ここにおいて記載された方法及び技術を実行するためのモジュール及び/または他の適切な手段は、ダウンロードされることができる、及び／または、そうでなければ適用されるように、ユーザ端末及び／または基地局によって得られることができる。例えば、そのようなデバイスは、ここにおいて記載された方法を実行するための手段の移送(transfer)を容易にするためにサーバに結合されることができる。あるいは、ここにおいて記載された様々な方法は、ストレージ手段（例、ＲＡＭ、ＲＯＭ、物理的なストレージ媒体、例えばコンパクトディスク（ＣＤ）またはフローッピーディスク等）を介して提供されることができるので、ユーザ端末及び／または基地局は、デバイスにストレージ手段を結合するまたは提供するときに、様々な方法を得ることができる。さらに、デバイスにここにおいて記載される方法及び技術を提供するためのいずれの他の適切な技術が利用されることができる。
【００７８】
上記で説明された正確な構成およびコンポーネントに特許請求の範囲は制限されないということは理解されるべきである。様々な修正、変更および変形は、特許請求の範囲を逸脱することなく、上記で説明された方法と装置の配置、オペレーション、および詳細においてなされてもよい。
【図１】
2011523812.tif 000003
【図２】
2011523812.tif 000004
【図３】
2011523812.tif 000005
【図４】
2011523812.tif 000006
【図５】
2011523812.tif 000007
【図５Ａ】
2011523812.tif 000008
【図６Ａ】
2011523812.tif 000009
【図６Ｂ】
2011523812.tif 000010
【図７Ａ】
2011523812.tif 000011
【図７Ｂ】
2011523812.tif 000012
【図８】
2011523812.tif 000013
【手続補正書】
【提出日】平成23年1月18日(2011.1.18)
【手続補正１】
【補正対象書類名】特許請求の範囲
【補正対象項目名】全文
【補正方法】変更
【補正の内容】
【特許請求の範囲】
【請求項１】
符号分割多元接続（ＣＤＭＡ）通信及び直交周波数分割多元接続（ＯＦＤＭＡ）通信をサポートするマルチモードモバイルデバイスと通信するための方法であって、
前記モバイルデバイスをターゲットとするＣＤＭＡメッセージについてＣＤＭＡネットワークのモバイル交換センタ（MSC）を直接モニタすることと、
前記モバイルデバイスをターゲットとする前記ＣＤＭＡメッセージを検出することに応じて、ＯＦＤＭＡメッセージで前記ＣＤＭＡメッセージを前記モバイルデバイスに通知することと、
を備えている方法。
【請求項２】
前記モバイルデバイスをターゲットとする前記ＣＤＭＡメッセージは、ＣＤＭＡページングリクエストを備えている、請求項１に記載の方法。
【請求項３】
前記ＯＦＤＭＡメッセージで前記ＣＤＭＡメッセージを前記モバイルデバイスに通知することは、前記モバイルデバイスにサービス提供するＯＦＤＭＡ基地局に対してＯＦＤＭＡページリクエストを送信することを備えている、請求項２に記載の方法。
【請求項４】
前記ＯＦＤＭＡメッセージで前記ＣＤＭＡメッセージを前記モバイルデバイスに通知することは、前記モバイルデバイスにサービス提供するＯＦＤＭＡ基地局に対してＯＦＤＭＡデレジスタリクエストを送信することを備えている、請求項２に記載の方法。
【請求項５】
前記モバイルデバイスは、アメリカ電気電子通信学会（ＩＥＥＥ）８０２．１６ファミリの標準規格のうちの１つまたは複数に従ったＯＦＤＭＡ通信をサポートし、
前記ＯＦＤＭＡメッセージで前記ＣＤＭＡメッセージを前記モバイルデバイスに通知することは、前記ＩＥＥＥ８０２．１６ファミリの標準規格のうちの１つまたは複数に従ったＯＦＤＭＡメッセージでＣＤＭＡメッセージを前記モバイルデバイスに通知することを備える、請求項１に記載の方法。
【請求項６】
符号分割多元接続（ＣＤＭＡ）通信と直交周波数分割多元接続（ＯＦＤＭＡ）通信をサポートするマルチモードモバイルデバイスと通信するための方法であって、
前記モバイルデバイスにサービス提供するＯＦＤＭＡ基地局において、前記モバイルデバイスをターゲットとするＣＤＭＡネットワークを介して送信されるＣＤＭＡメッセージに関する情報を含んでいる第１のＯＦＤＭＡメッセージを受信することと、
それに応じて、前記基地局から前記モバイルデバイスへと前記ＣＤＭＡメッセージに関する情報を含んでいる第２のＯＦＤＭＡメッセージを送信することと、
を備えている方法。
【請求項７】
前記モバイルデバイスをターゲットとする前記ＣＤＭＡメッセージは、ＣＤＭＡページングリクエストを備えている、請求項６に記載の方法。
【請求項８】
前記第２のＯＦＤＭＡメッセージを送信することは、前記モバイルデバイスに対し、モバイルページング広告（ＭＯＢ＿ＰＡＧ＿ＡＤＶ）メッセージを送信することを備え、
前記方法は、前記モバイルデバイスから、前記ＣＤＭＡページングリクエストに対する応答に関する情報を含んでいるＯＦＤＭＡレンジングリクエストメッセージを受信することと、前記ＣＤＭＡネットワークに接続されたゲートウェイデバイスに対し、前記ＣＤＭＡページングリクエストに対する応答で、前記第3のＯＦＤＭＡメッセージを送信することと、をさらに備える、請求項７記載の方法。
【請求項９】
前記第２のＯＦＤＭＡメッセージを送信することは、前記モバイルデバイスに対する前記ＣＤＭＡページングリクエストについての情報を含んでいるＯＦＤＭＡデレジスタコマンドメッセージを送信することを備えている、請求項７に記載の方法。
【請求項１０】
前記モバイルデバイスと基地局は、アメリカ電気電子通信学会（ＩＥＥＥ）８０２．１６ファミリの標準規格のうちの１つまたは複数に従ってＯＦＤＭＡフレームを介して通信し、
前記基地局から前記モバイルデバイスまで前記ＣＤＭＡメッセージに関する情報を含んでいる前記第２のＯＦＤＭＡメッセージを送信することは、前記ＩＥＥＥ８０２．１６ファミリの標準規格のうちの前記１つまたは複数に従ったＯＦＤＭＡを送信することを備える、請求項６に記載の方法。
【請求項１１】
直交周波数分割多元接続（ＯＦＤＭＡ）ネットワークを介してマルチモードモバイルデバイスによって符号分割多元接続（ＣＤＭＡ）ネットワークと通信するための方法であって、
前記モバイルデバイスから前記ＣＤＭＡネットワークをターゲットとするＣＤＭＡメッセージに関する情報を含んでいるＯＦＤＭＡメッセージを生成することと、
前記モバイルデバイスにサービス提供するＯＦＤＭＡ基地局に対して、前記ＣＤＭＡメッセージに関する前記情報を含んでいる前記ＯＦＤＭＡメッセージを送信することと、
を備え、前記ＣＤＭＡメッセージは、ＣＤＭＡページングリクエストに対する応答を備える、方法。
【請求項１２】
前記モバイルデバイスは、アメリカ電気電子通信学会（ＩＥＥＥ）８０２．１６ファミリの標準規格のうちの１つまたは複数に従ってＯＦＤＭＡフレームを介した通信をサポートし、
前記モバイルデバイスから前記ＣＤＭＡネットワークをターゲットとする前記ＣＤＭＡメッセージに関する情報を含んでいる前記ＯＦＤＭＡメッセージを生成することは、前記ＩＥＥＥ８０２．１６ファミリの標準規格のうちの前記１つまたは複数に従ったＯＦＤＭＡメッセージを生成することを備える、請求項１１に記載の方法。
【請求項１３】
符号分割多元接続（ＣＤＭＡ）通信及び直交周波数分割多元接続（ＯＦＤＭＡ）通信をサポートするマルチモードモバイルデバイスと通信するための装置であって、
前記モバイルデバイスをターゲットとするＣＤＭＡメッセージについてＣＤＭＡネットワークのモバイル交換センタ（MSC）を直接モニタするための手段と、
前記モバイルデバイスをターゲットとする前記ＣＤＭＡメッセージを検出することに応じて、ＯＦＤＭＡメッセージで前記ＣＤＭＡメッセージを前記モバイルデバイスに通知するための手段と、
を備えている装置。
【請求項１４】
前記モバイルデバイスをターゲットとする前記ＣＤＭＡメッセージは、ＣＤＭＡページングリクエストを備えている、請求項１３に記載の装置。
【請求項１５】
前記ＯＦＤＭＡメッセージで前記ＣＤＭＡメッセージを前記モバイルデバイスに通知するための手段は、前記モバイルデバイスにサービス提供するＯＦＤＭＡ基地局に対してＯＦＤＭＡページリクエストを送信するように構成されている、請求項１４に記載の装置。
【請求項１６】
前記ＯＦＤＭＡメッセージで前記ＣＤＭＡメッセージを前記モバイルデバイスに通知することは、前記モバイルデバイスにサービス提供するＯＦＤＭＡ基地局に対してＯＦＤＭＡデレジスタリクエストを送信するように構成されている、請求項１４に記載の装置。
【請求項１７】
前記モバイルデバイスは、アメリカ電気電子通信学会（ＩＥＥＥ）８０２．１６ファミリの標準規格のうちの１つまたは複数に従ってＯＦＤＭＡ通信をサポートし、
前記ＯＦＤＭＡメッセージで前記ＣＤＭＡメッセージを前記モバイルデバイスに通知するための手段は、前記ＩＥＥＥ８０２．１６ファミリの標準規格のうちの前記１つまたは複数に従ったＯＦＤＭＡメッセージで前記ＣＤＭＡメッセージを前記モバイルデバイスに通知するように構成される、請求項１３に記載の装置。
【請求項１８】
符号分割多元接続（ＣＤＭＡ）通信と、直交周波数分割多元接続（ＯＦＤＭＡ）通信とをサポートするマルチモードモバイルデバイスと通信するための装置であって、
前記モバイルデバイスをターゲットとするＣＤＭＡネットワークを介して送信されたＣＤＭＡメッセージに関する情報を含んでいる第１のＯＦＤＭＡメッセージを受信するための手段と、
前記第１のＯＦＤＭＡメッセージを受信することに応じて、前記モバイルデバイスに対し、前記ＣＤＭＡメッセージに関する情報を含んでいる第２のＯＦＤＭＡメッセージを送信するための手段と、
を備えている装置。
【請求項１９】
前記モバイルデバイスをターゲットとする前記ＣＤＭＡメッセージは、ＣＤＭＡページングリクエストを備えている、請求項１８に記載の装置。
【請求項２０】
前記第２のＯＦＤＭＡメッセージを送信するための手段は、前記モバイルデバイスに対し、モバイルページング広告（ＭＯＢ＿ＰＡＧ＿ＡＤＶ）メッセージを送信するように構成されており、
前記装置は、前記モバイルデバイスから、前記ＣＤＭＡページングリクエストに対する応答に関する情報を含んでいるＯＦＤＭＡレンジングリクエストメッセージを受信するための手段と、前記ＣＤＭＡネットワークに接続されたゲートウェイデバイスに対し、前記ＣＤＭＡページングリクエストに対する応答で、第３のＯＦＤＭＡメッセージを送信するための手段と、をさらに備える、
請求項１９に記載の装置。
【請求項２１】
前記第２のＯＦＤＭＡメッセージは、前記ＣＤＭＡページングリクエストについての情報を含んでいるＯＦＤＭＡデレジスタコマンドメッセージを備えている、請求項１９に記載の装置。
【請求項２２】
前記モバイルデバイスと装置は、アメリカ電気電子通信学会（ＩＥＥＥ）８０２．１６ファミリの標準規格のうちの１つまたは複数に従ってＯＦＤＭＡフレームを介して通信するように構成されており、
前記第２のＯＦＤＭＡメッセージは、前記ＩＥＥＥ８０２．１６ファミリの標準規格のうちの１つまたは複数に従ったＯＦＤＭＡメッセージを備える、請求項１８に記載の装置。
【請求項２３】
直交周波数分割多元接続（ＯＦＤＭＡ）ネットワークを介して符号分割多元接続（ＣＤＭＡ）ネットワークと通信するための装置であって、
前記ＣＤＭＡネットワークをターゲットとするＣＤＭＡメッセージに関する情報を含んでいるＯＦＤＭＡメッセージを生成するための手段と、
前記装置にサービス提供するＯＦＤＭＡ基地局に対し、前記ＣＤＭＡメッセージに関する前記情報を含んでいる前記ＯＦＤＭＡメッセージを送信するための手段と、
を備え、前記ＣＤＭＡメッセージは、ＣＤＭＡページングリクエストに対する応答を備える、装置。
【請求項２４】
前記装置は、アメリカ電気電子通信学会（ＩＥＥＥ）８０２．１６ファミリの標準規格のうちの１つまたは複数に従ってＯＦＤＭＡフレームを介した通信をサポートするように構成されており、
前記ＣＤＭＡネットワークをターゲットとする前記ＣＤＭＡメッセージに関する情報を含んでいる前記ＯＦＤＭＡメッセージは、前記ＩＥＥＥ８０２．１６ファミリの標準規格のうちの前記１つまたは複数に従ったＯＦＤＭＡメッセージを備える、請求項２３に記載の装置。
【請求項２５】
符号分割多元接続（ＣＤＭＡ）通信及び直交周波数分割多元接続（ＯＦＤＭＡ）通信をサポートするマルチモードモバイルデバイスと通信するためのゲートウェイデバイスであって、
前記モバイルデバイスをターゲットとするＣＤＭＡメッセージについてＣＤＭＡネットワークのモバイル交換センタ（MSC）を直接モニタするためのＣＤＭＡインタフェースと、
前記モバイルデバイスをターゲットとする前記ＣＤＭＡメッセージを検出することに応じて、ＯＦＤＭＡメッセージで前記ＣＤＭＡメッセージを前記モバイルデバイスに通知するためのＯＦＤＭＡインタフェースと、
を備えているゲートウェイデバイス。
【請求項２６】
前記モバイルデバイスをターゲットとする前記ＣＤＭＡメッセージは、ＣＤＭＡページングリクエストを備えている、請求項２５に記載のゲートウェイデバイス。
【請求項２７】
前記ＯＦＤＭＡインタフェースは、前記モバイルデバイスにサービス提供するＯＦＤＭＡ基地局に対してＯＦＤＭＡページリクエストを送信するように構成されている、請求項２６に記載のゲートウェイデバイス。
【請求項２８】
前記ＯＦＤＭＡインタフェースは、前記モバイルデバイスにサービス提供するＯＦＤＭＡ基地局に対してＯＦＤＭＡデレジスタリクエストを送信するように構成されている、請求項２６に記載のゲートウェイデバイス。
【請求項２９】
前記モバイルデバイスは、アメリカ電気電子通信学会（ＩＥＥＥ）８０２．１６ファミリの標準規格のうちの１つまたは複数に従ってＯＦＤＭＡ通信をサポートし、
前記ＯＦＤＭＡインタフェースは、前記ＩＥＥＥ８０２．１６ファミリの標準規格のうちの前記１つまたは複数に従ったＯＦＤＭＡメッセージで前記ＣＤＭＡメッセージを前記モバイルデバイスに通知するように構成されている、請求項２５に記載のゲートウェイデバイス。
【請求項３０】
符号分割多元接続（ＣＤＭＡ）通信と直交周波数分割多元接続（ＯＦＤＭＡ）通信とをサポートするマルチモードモバイルデバイスと通信するための基地局であって、
前記モバイルデバイスをターゲットとするＣＤＭＡネットワークを介して送信されたＣＤＭＡメッセージに関する情報を含んでいる第１のＯＦＤＭＡメッセージを受信するための受信機論理と、
前記第１のＯＦＤＭＡメッセージを受信することに応じて、前記モバイルデバイスに対し、前記ＣＤＭＡメッセージに関する情報を含んでいる第２のＯＦＤＭＡメッセージを送信するための送信機論理と、
を備える基地局。
【請求項３１】
前記モバイルデバイスをターゲットとする前記ＣＤＭＡメッセージは、ＣＤＭＡページングリクエストを備えている、請求項３０に記載の基地局。
【請求項３２】
前記第２のＯＦＤＭＡメッセージは、モバイルページング広告（ＭＯＢ＿ＰＡＧ＿ＡＤＶ）メッセージを備え、
前記受信機論理は、前記モバイルデバイスから、前記ＣＤＭＡページングリクエストに対する応答に関する情報を含んでいるＯＦＤＭＡレンジングリクエストメッセージを受信するように構成されており、
前記送信機論理は、前記ＣＤＭＡネットワークに接続されたゲートウェイデバイスに対し、前記ＣＤＭＡページングリクエストに対する応答で、ＯＦＤＭＡメッセージを送信するように構成される、
請求項３１に記載の基地局。
【請求項３３】
前記第２のＯＦＤＭＡメッセージは、前記ＣＤＭＡページングリクエストについての情報を含んでいるＯＦＤＭＡデレジスタコマンドメッセージを備えている、請求項３１に記載の基地局。
【請求項３４】
前記モバイルデバイスと基地局は、アメリカ電気電子通信学会（ＩＥＥＥ）８０２．１６ファミリの標準規格のうちの１つまたは複数に従ってＯＦＤＭＡフレームを介して通信するように構成されており、
前記第２のＯＦＤＭＡメッセージは、前記ＩＥＥＥ８０２．１６ファミリの標準規格のうちの１つまたは複数に従ったＯＦＤＭＡを備える、請求項３０に記載の基地局。
【請求項３５】
直交周波数分割多元接続（ＯＦＤＭＡ）ネットワークを介してマルチモードモバイルデバイスによって符号分割多元接続（ＣＤＭＡ）ネットワークと通信することができるマルチモードモバイルデバイスであって、
前記ＣＤＭＡネットワークと通信するためのＣＤＭＡインタフェースと、
前記ＣＤＭＡネットワークをターゲットとするＣＤＭＡメッセージに関する情報を含んでいるＯＦＤＭＡメッセージを生成するための制御論理と、
前記モバイルデバイスにサービス提供するＯＦＤＭＡ基地局に対して、前記ＣＤＭＡメッセージに関する前記情報を含んでいる前記ＯＦＤＭＡメッセージを送信するためのＯＦＤＭＡインタフェースと、
を備え、前記ＣＤＭＡメッセージは、ＣＤＭＡページングリクエストに対する応答を備える、マルチモードモバイルデバイス。
【請求項３６】
前記モバイルデバイスは、アメリカ電気電子通信学会（ＩＥＥＥ）８０２．１６ファミリの標準規格のうちの１つまたは複数に従ってＯＦＤＭＡフレームを介した通信をサポートするように構成されており、
前記ＣＤＭＡネットワークをターゲットとする前記ＣＤＭＡメッセージに関する情報を含んでいる前記ＯＦＤＭＡメッセージは、前記ＩＥＥＥ８０２．１６ファミリの標準規格のうちの１つまたは複数に従ったＯＦＤＭＡメッセージを備える、請求項３５に記載のモバイルデバイス。
【請求項３７】
符号分割多元接続（ＣＤＭＡ）通信及び直交周波数分割多元接続（ＯＦＤＭＡ）通信をサポートするマルチモードモバイルデバイスと通信するためのプログラムを含んでいるコンピュータ可読媒体であって、プロセッサによって実行されるときに、
前記モバイルデバイスをターゲットとするＣＤＭＡメッセージについてＣＤＭＡネットワークのモバイル交換センタ（MSC）を直接モニタすることと、
前記モバイルデバイスをターゲットとする前記ＣＤＭＡメッセージを検出することに応じて、ＯＦＤＭＡメッセージで前記ＣＤＭＡメッセージを前記モバイルデバイスに通知することと、
を備えているオペレーション、
を実行する、
コンピュータ可読媒体。
【請求項３８】
前記モバイルデバイスをターゲットとする前記ＣＤＭＡメッセージは、ＣＤＭＡページングリクエストを備えている、請求項３７に記載のコンピュータ可読媒体。
【請求項３９】
前記ＯＦＤＭＡメッセージで前記ＣＤＭＡメッセージを前記モバイルデバイスに通知することは、前記モバイルデバイスにサービス提供するＯＦＤＭＡ基地局に対して、ＯＦＤＭＡページリクエストを送信することを備えている、請求項３８に記載のコンピュータ可読媒体。
【請求項４０】
前記ＯＦＤＭＡメッセージで前記ＣＤＭＡメッセージを前記モバイルデバイスに通知することは、前記モバイルデバイスにサービス提供するＯＦＤＭＡ基地局に対してＯＦＤＭＡデレジスタリクエストを送信することを備えている、請求項３８に記載のコンピュータ可読媒体。
【請求項４１】
前記モバイルデバイスは、アメリカ電気電子通信学会（ＩＥＥＥ）８０２．１６ファミリの標準規格のうちの１つまたは複数に従ってＯＦＤＭＡ通信をサポートし、
前記ＯＦＤＭＡメッセージで前記ＣＤＭＡメッセージを前記モバイルデバイスに通知することは、前記ＩＥＥＥ８０２．１６ファミリの標準規格のうちの１つまたは複数に従ったＯＦＤＭＡメッセージで前記ＣＤＭＡメッセージを前記モバイルデバイスに通知すること備える、請求項３７に記載のコンピュータ可読媒体。
【請求項４２】
符号分割多元接続（ＣＤＭＡ）通信と直交周波数分割多元接続（ＯＦＤＭＡ）通信をサポートするマルチモードモバイルデバイスと通信するためのプログラムを含んでいるコンピュータ可読媒体であって、プロセッサによって実行されるときに、
前記モバイルデバイスにサービス提供するＯＦＤＭＡ基地局において、前記モバイルデバイスをターゲットとするＣＤＭＡネットワークを介して送信されるＣＤＭＡメッセージに関する情報を含んでいる第１のＯＦＤＭＡメッセージを受信することと、
それに応じて、前記基地局から前記モバイルデバイスへと前記ＣＤＭＡメッセージに関する情報を含んでいる第２のＯＦＤＭＡメッセージを送信することと、
を備えているオペレーション、
を実行する、
コンピュータ可読媒体。
【請求項４３】
前記モバイルデバイスをターゲットとする前記ＣＤＭＡメッセージは、ＣＤＭＡページングリクエストを備えている、請求項４２に記載のコンピュータ可読媒体。
【請求項４４】
前記第２のＯＦＤＭＡメッセージを送信することは、前記モバイルデバイスに対し、モバイルページング広告（ＭＯＢ＿ＰＡＧ＿ＡＤＶ）メッセージを送信することを備え、
前記オペレーションは、前記モバイルデバイスから、前記ＣＤＭＡページングリクエストに対する応答に関する情報を含んでいるＯＦＤＭＡレンジングリクエストメッセージを受信することと、前記ＣＤＭＡネットワークに接続されたゲートウェイデバイスに対し、前記ＣＤＭＡページングリクエストに対する応答で、第３のＯＦＤＭＡメッセージを送信することと、をさらに備える、請求項４３に記載のコンピュータ可読媒体。
【請求項４５】
前記第２のＯＦＤＭＡメッセージを送信することは、前記モバイルデバイスに対する前記ＣＤＭＡページングリクエストについての情報を含んでいるＯＦＤＭＡデレジスタコマンドメッセージを送信することを備えている、請求項４３に記載のコンピュータ可読媒体。
【請求項４６】
前記モバイルデバイスと基地局は、アメリカ電気電子通信学会（ＩＥＥＥ）８０２．１６ファミリの標準規格のうちの１つまたは複数に従ってＯＦＤＭＡフレームを介して通信し、
前記基地局から前記モバイルデバイスまでＣＤＭＡメッセージに関する情報を含んでいる前記第２のＯＦＤＭＡメッセージを送信することは、前記ＩＥＥＥ８０２．１６ファミリの標準規格のうちの前記１つまたは複数に従ってＯＦＤＭＡを送信することを備える、請求項４２に記載のコンピュータ可読媒体。
【請求項４７】
直交周波数分割多元接続（ＯＦＤＭＡ）ネットワークを介してマルチモードモバイルデバイスによって符号分割多元接続（ＣＤＭＡ）ネットワークと通信するためのプログラムを含んでいるコンピュータ可読媒体であって、プロセッサによって実行されるとき、
前記モバイルデバイスから前記ＣＤＭＡネットワークをターゲットとするＣＤＭＡメッセージに関する情報を含んでいるＯＦＤＭＡメッセージを生成することと；
前記モバイルデバイスにサービス提供するＯＦＤＭＡ基地局に対して、前記ＣＤＭＡメッセージに関する前記情報を含んでいる前記ＯＦＤＭＡメッセージを送信することと、なお、前記ＣＤＭＡメッセージは、ＣＤＭＡページングリクエストに対する応答を備える；
を備えているオペレーション、
を実行する、
コンピュータ可読媒体。
【請求項４８】
前記モバイルデバイスは、アメリカ電気電子通信学会（ＩＥＥＥ）８０２．１６ファミリの標準規格のうちの１つまたは複数に従ってＯＦＤＭＡフレームを介した通信をサポートし、
前記モバイルデバイスから前記ＣＤＭＡネットワークをターゲットとする前記ＣＤＭＡメッセージに関する情報を含んでいる前記ＯＦＤＭＡメッセージを生成することは、前記ＩＥＥＥ８０２．１６ファミリの標準規格のうちの前記１つまたは複数に従ったＯＦＤＭＡメッセージを生成することを備える、請求項４７に記載のコンピュータ可読媒体。
【国際調査報告】
2011523812.tif 000014
2011523812.tif 000015
2011523812.tif 000016